(57)【要約】【課題】本発明は、振動や衝撃等でも簡単に外れることのない装着具及びその装着方法を提供せんとするものである。【解決手段】本発明の目的は、係合孔２０に幅広部１６によって装着される装着具１０において、装着具１０の幅広部１６のより先の部分に捩り部１８を設け、係合孔２０に挿入する時には捩り部１８がより捩られた状態で挿入され、挿入が完了した時には捩り部１８の弾性力によって元の状態まで復帰し幅広部１６が係合孔２０に係合することことで達成することができる。装着方法は、まず、係合孔２０に捩り部１８を挿入し、次に、捩り部１８を更に挿入すると幅広部１６がより捩られた状態で挿入され、最後に、挿入が完了した時には幅広部１６がその弾性力によって元の状態まで復帰し幅広部１６が係合孔２０に係合することで装着具１０が固定されるようにしている。【選択図】　図１
2004119104.tif 000002
【特許請求の範囲】
【請求項１】
係合孔に幅広部によって装着される装着具において、
前記装着具の幅広部のより先の部分に捩り部を設け、前記係合孔に挿入する時には前記捩り部がより捩られた状態で挿入され、挿入が完了した時には前記捩り部の弾性力によって元の状態まで復帰し前記幅広部が前記係合孔に係合することを特徴とする装着具。
【請求項２】
係合孔に幅広部によって装着される装着具の装着方法において、
前記係合孔に前記捩り部を挿入し、該捩り部を更に挿入すると前記幅広部がより捩られた状態で挿入され、挿入が完了した時には前記幅広部がその弾性力によって元の状態まで復帰し前記幅広部が前記係合孔に係合することで装着具が固定されるようにしたことを特徴とする装着具の装着方法。
【請求項３】
所要数のコンタクトと該コンタクトが保持・固定されるとともに相手コネクタとの嵌合部を２つ備えるハウジングと前記嵌入部を覆う２つのシェルと該シェル間に装着される遮蔽板とを備える電気コネクタにおいて、
前記ハウジングの２つの嵌入部間に少なくとも１以上の係合孔を設け、前記遮蔽板には前記係合孔に対応した位置に突出したロック脚部を設け、該ロック脚部の先端側には幅広部を有すると共に幅広部より先端側に捩り部を設け、前記係合孔に挿入する時には前記捩り部により前記幅広部が捩られた状態で挿入され、挿入が完了した時には前記幅広部の弾性力によって元の状態まで復帰し前記幅広部が前記係合孔に係合することで装着具が固定されるようにしたことを特徴とする電気コネクタ。
【発明の詳細な説明】
【０００１】
【発明の属する技術分野】
本発明は、コネクタのパネルやシールド板等を装着するため等に係合孔に装着される装着具とその装着方法に関するものであり、かつ、その方法を使用した電気コネクタに関するものである。
【０００２】
【従来の技術】
従来、装着具６０は、図３のように幅広部６６を係合孔２０に圧入により挿入固定していた。しかし、該装着具６０では、圧入治具が必要になり、治具が必要なために、機器（コネクタ）の小型化に影響していた。
そこで、図４のような装着具７０の係止部７６を係合孔２０に簡単に引っ掛けることができる構造のものが提案されていた。
【０００３】
【発明が解決しようとする課題】
上述ような構造の装着具７０では、バネ性を有する係止部７６が係合孔２０に引っ掛かっているだけなので、振動や衝撃等で簡単に外れてしまうと言った解決すべき課題があった。
また、簡単に外れないようにするためには、前記係止部７６を大きくすればよいが、大きくすればするほど装着具７０が前記係合孔２０に入り難くなると言った相反する問題点もあった。
【０００４】
本発明は、このような従来の問題点に鑑みてなされたもので、振動や衝撃等でも簡単に外れることのない装着具及びその装着方法を提供せんとするものである。
【０００５】
【課題を解決するための手段】
本発明の目的は、係合孔２０に幅広部１６によって装着される装着具１０において、前記装着具１０の幅広部１６のより先の部分に捩り部１８を設け、前記係合孔２０に挿入する時には前記捩り部１８がより捩られた状態で挿入され、挿入が完了した時には前記捩り部１８の弾性力によって元の状態まで復帰し前記幅広部１６が前記係合孔２０に係合することことで達成することができる。
【０００６】
本発明の装着具１０は、次のように係合孔２０に装着されている。まず、前記係合孔２０に前記捩り部１８を挿入し、次に、該捩り部１８を更に挿入すると前記幅広部１６がより捩られた状態で挿入され、最後に、挿入が完了した時には前記幅広部１６がその弾性力によって元の状態まで復帰し前記幅広部１６が前記係合孔２０に係合することで装着具１０が固定されるようにしている。このような装着方法にすることで、挿入する際には挿入し易く、一度前記幅広部１６が係合孔２０に装着すると外れ難くなる。
【０００７】
上記のような装着方法を電気コネクタ３０に応用すると次のようになる。
所要数のコンタクト３４と該コンタクト３４が保持・固定されるとともに相手コネクタとの嵌入部３８を２つ備えるハウジング３２と前記嵌入部３８を覆う２つのシェル３６と該シェル３６間に装着される遮蔽板４０とを備える電気コネクタ３０において、前記ハウジング３２の２つの嵌入部３８間に少なくとも１以上の係合孔２０を設け、前記遮蔽板４０には前記係合孔２０に対応した位置に突出したロック脚部４８を設け、該ロック脚部４８の先端側には幅広部１６を有すると共に幅広部１６より先端側に捩り部１８を設け、前記係合孔２０に挿入する時には前記捩り部１８により前記幅広部１６が捩られた状態で挿入され、挿入が完了した時には前記幅広部１６の弾性力によって元の状態まで復帰し前記幅広部１６が前記係合孔２０に係合することで遮蔽板４０が固定されるようにする。
【０００８】
【作用】
前記係合孔２０に、前記装着具１０を挿入すると、該装着具１０の先端には捩れ部１８が設けられているために、前記係合孔２０の形状に沿って、前記幅広部１６がより捩れながら恰も回転するように前記係合孔２０内を進み、該幅広部１６が前記係合孔２０から出ると該幅広部１６の弾性力によって挿入前の状態に復帰し、前記幅広部１６が前記係合孔２０に係合する。
【０００９】
【発明の実施の形態】
まず、図に基づいて、本発明に係る装着具１０について説明する。該装着具１０は、パネルやシールド板等により穴の空いた空間を塞ぐ目的等のために使用されるものであり、図１のように一般的に相手係合孔２０に位置決めする位置決め部１２と、幅広部１６と、該位置決め部１２と該幅広部１６との間に位置する中間部１４と、捩れ部１８とを備えており、位置決め部１２・中間部１４・幅広部１６・捩れ部１８の順に配列している。
図１（Ａ）は本発明の装着具の斜視図であり、（Ｂ）は該装着具が係合孔に装着された状態の断面図である。
【００１０】
前記装着具１０は、上述のような部分を備えており、それぞれの部分について以下で説明する。
前記位置決め部１２は、該装着具１０の装着（挿入）深さを制限するためのものであり、前記位置決め部１２が係合孔２０の端面に引っ掛かるようになっているので、位置決め部１２の大きさは前記係合孔２０よりも大きくなっている。位置決め部１２の形状としては、前記係合孔２０の端面に接する側は、端面に沿った形状にすることが望ましい。
【００１１】
前記幅広部１６は、装着が完了した際に、前記装着具１０を前記係合孔２０から抜けないように保持するためのものであり、前記幅広部１６が前記係合孔２０に引っ掛かり保持しているので、前記幅広部１６の大きさは前記係合孔２０よりも大きくしている。このように前記幅広部１６の大きさによって保持力が決まるので、仕様等によって適宜設計している。前記幅広部１６の形状としては、上記の役割が満足できれば如何なるものでもよく、適宜設計している。
【００１２】
前記捩り部１８は、前記装着具１０を前記係合孔２０に装着する際に、前記幅広部１６が前記係合孔２０の形状に沿って捩り易くするための部分である。前記捩り部１８は、幅広部１６より先の部分に設けられており、該捩れ部１８が前記係合孔２０に入ると恰も回転するように幅広部１６が入っていくので、保持力を上げるために幅広部１６の大きさを大きくしても装着がし易くなる。該捩り部１８の角度は前記係合孔２０に挿入し易いように適宜設計しているが、本実施例では挿入性や保持性を考慮して２０〜４０度にしている。
【００１３】
ここで、装着具１０の装着方法について説明する。
本発明の装着具１０は、次のように係合孔２０に装着されている。
まず、前記係合孔２０に前記捩り部１８を挿入し、次に、該捩り部１８を更に挿入すると前記幅広部１６がより捩られた状態（恰も回転しているように）で挿入され、最後に、挿入が完了した時には前記幅広部１６がその弾性力によって元（挿入前）の状態まで復帰し前記幅広部１６が前記係合孔２０に係合することで装着具１０が固定されるようにしている。このような装着方法にすることで、挿入する際には挿入し易く、一度前記幅広部１６が係合孔２０に装着すると外れ難くなる。
【００１４】
最後に、上述した装着方法を利用した電気コネクタ３０について説明する。
該電気コネクタ３０は、所要数のコンタクト３４と該コンタクト３４が保持・固定されるハウジング３２と該ハウジング３２を覆うシェル３６と遮蔽板４０とを備えている。本発明の装着方法は、該遮蔽板４０に使用されている。以下で、図２に基づいてそれぞれの部品について説明する。図２は装着方法を電気コネクタ３０に用いた場合の電気コネクタ３０と遮蔽板４０の斜視図である。
【００１５】
前記ハウジング３２は、電気絶縁性のプラスチックであり、公知技術の射出成形によって作成され、その材質は弾性や寸法安定性等が要求されるので、ポリブチレンテレフタレート（ＰＢＴ）や液晶ポリマーやポリフェニレンサルファイド（ＰＰＳ）やポリカーボネイト（ＰＣ）やポリエチレンテレフタレート（ＰＥＴ）等を挙げることができる。前記ハウジング３２には、相手コネクタと嵌合する嵌入部３８が設けられている。本発明の電気コネクタ３０では、該嵌入部３８が２段設けられ、前記ハウジング３２の２つの嵌入部３８間に少なくとも１以上の係合孔２０が設けられている。また、長手方向両側には、該電気コネクタ３０を基板に取付ける際にネジやロックピンが挿入される孔５０が設けられている。
【００１６】
本発明のポイント部分である前記遮蔽板４０は金属製であり、公知技術のプレス加工によって作成され、遮蔽性やバネ性が要求されるので、黄銅やベリリウム銅やリン青銅等を挙げることができる。前記遮蔽板４０は、本体部４６と少なくとも１個以上のロック脚部４８とを備え、該ロック脚部４８が上述した装着具１０を応用した部分である。
前記遮蔽板４０には前記ハウジング３２の前記係合孔２０に対応した位置で対応した数の突出したロック脚部４８を設け、該ロック脚部４８の先端側には幅広部１６を有すると共に幅広部１６より先端側に捩り部１８を設けられている。前記係合孔２０に挿入する時には前記捩り部１８により前記幅広部１６が捩られた状態で挿入され、挿入が完了した時には前記幅広部１６の弾性力によって元の状態まで復帰し前記幅広部１６が前記係合孔２０に係合し、遮蔽板４０が固定されるようになっている。
【００１７】
前記コンタクト３４は金属製であり、公知技術のプレス加工によって作成され、導電性やバネ性が要求されるので、黄銅やベリリウム銅やリン青銅等を挙げることができる。前記コンタクト３４は、相手コンタクトに接触する接触部４２と前記ハウジング３２に保持・固定される固定部と基板やケーブル等に接続される接続部４４とを備えている。前記コンタクト３４は前記ハウジング３２に圧入や引っ掛け（ランス）等によって固定されている。
【００１８】
前記シェル３６は金属製であり、公知技術のプレス加工によって作成され、遮蔽性やバネ性が要求されるので、黄銅やベリリウム銅やリン青銅等を挙げることができる。該シェル３６は、前記ハウジング３２の嵌入部３８を覆うように、前記ハウジング３２に圧入や引っ掛け（ランス）等によって固定されている。部品を共通化する意味合いから前記嵌入部３８には別のシェル３６が固定され、即ち、別のシェル３６が嵌入部３８に合わせて２段に固定されている。すると、２つのシェル３６の間には隙間が生じ、遮蔽性が悪くなるため、前記遮蔽板４０を該隙間に固定することで遮蔽性を良くするようにしている。
【００１９】
【発明の効果】
以上の説明から明らかなように、本発明に係る装着具１０と電気コネクタ３０によると、次のような優れた効果が得られる。
（１）装着具１０の先端側に捩り部１８が設けられているので、係合孔２０に挿入される際に捩り部１８によって幅広部１６がより捩られ（恰も回転するように）るように係合孔２０の形状に沿って挿入されていくために容易に装着具１０を係合孔２０に装着することができる。
（２）該装着具１０は、一度装着されると、振動や衝撃等でも外れることがなく、安定した保持力を得ることができる。
（３）該装着具１０や遮蔽板４０の前記幅広部１６を大きくしても、係合孔２０に容易に装着できるので、安定した保持力を得ることが可能になる。
【図面の簡単な説明】
【図１】（Ａ）
本発明の装着具の斜視図である。
（Ｂ）
本発明の装着具が係合孔に装着された状態の断面図である。
【図２】装着方法を電気コネクタに用いた場合の電気コネクタと遮蔽板の斜視図である。
【図３】従来の装着具の斜視図である。
【図４】従来の装着具の斜視図である。
【符号の説明】
１０、６０、７０　装着具
１２、６２、７２　位置決め部
１４、６４、７４　中間部
１６、６６　　　　幅広部
１８　　　　　　　捩れ部
２０　　　　　　　係合孔
３０　　　　　　　電気コネクタ
３２　　　　　　　ハウジング
３４　　　　　　　コンタクト
３６　　　　　　　シェル
３８　　　　　　　嵌入部
４０　　　　　　　遮蔽板
４２　　　　　　　接触部
４４　　　　　　　接続部
４６　　　　　　　本体部
４８　　　　　　　ロック脚部
７６　　　　　　　係止部
【図１】
2004119104.tif 000003
【図２】
2004119104.tif 000004
【図３】
2004119104.tif 000005
【図４】
2004119104.tif 000006